(57)【要約】      （修正有）【課題】従来の箸補助具は指の開閉機能を補助し、箸の開閉を補助具に依存するため、正しい箸の使い方の感覚が得にくい構造の補助具になっている。しかし、箸使用者に指の運動機能が残されているならば、正しい箸の使い方に近い感覚が得られる箸補助具を提供することが望ましい。【解決手段】箸補助具の把持部３ａに突起部３ｅと張り出し部３ｆで構成された挟持部３ｄを設け、これを人さし指２ｂと中指２ｃで挟む、あるいは添えることで箸が指から脱落することを防ぎ、箸先端の開閉などをコントロールする機能性を有し、尚かつ補助具形状が小さく使用状態を目立たなくする構造の箸補助具。【選択図】図６
0003133200.tif 000002
【実用新案登録請求の範囲】
【請求項１】
通常用途の箸と共に用いる箸補助具において、箸を通して把持する把持部と、前記把持部に、指で挟んで箸補助具を保持するための挟持部と、を備えたことを特徴とする箸補助具。
【請求項２】
前記箸補助具の箸への装着位置を調整できるように、前記把持部に、摺動可動な構造と弾性力のある材質を備えたことを特徴とする請求項１に記載の箸補助具。
【考案の詳細な説明】
【技術分野】
【０００１】
本考案は箸の開閉を助けるための箸補助具に関する。
【背景技術】
【０００２】
図１、図２、図３は正しい箸の使い方を示した図で、箸１ａを人さし指２ｂと中指２ｃで挟み、更に親指２ａで押さえ、箸１ｂを親指２ａと人さし指２ｂの股に挟み、薬指２ｄで支え、箸１ａを動かし、箸１ｂを固定することで開閉のコントロールを行っている。この箸を支えて動かすための指の機能障害によって、箸を使うことができなくなり、補助具に頼ることになる。また、箸を支えて動かす高度な運動機能を修得するためには、上記のような適正な指連動の反復訓練が必要になる。そのため指の機能障害の程度、また矯正訓練用などの目的用途に応じて、多種多様な補助具が利用されている。構造的には指を補助具に固定して、箸の開閉を助ける指固定式補助具、またバネ構造によって箸の開閉を助けるバネ式補助具に分けられ、食材を掴むためだけの補助具として利用されている。
【特許文献１】特開平８−８４６５０公報
【特許文献２】実開平６−３６４６５公報
【非特許文献１】一色八郎 「箸」保育社出版 １９９１年
【考案の開示】
【考案が解決しようとする課題】
【０００３】
バネ式補助具や、指固定式補助具は指の開閉機能を補助し、箸の開閉を補助具に依存するため、正しい箸の使い方の感覚が得にくい構造の補助具になっている。しかし箸使用者に指の運動機能が残されているならば、正しい箸の使い方に近い感覚が得られる箸補助具の提供が望ましい。
【課題を解決するための手段】
【０００４】
そのための改善策として、箸補助具を箸１ａに取り付け、箸補助具に設けた挟持部３ｄを人さし指と中指で挟み、あるいは添えることで、箸の開閉がコントロールでき、更に正しい箸の使い方の感覚が得られる箸補助具を考案した。
【考案の効果】
【０００５】
本考案の箸補助具の主な特徴は、正しい箸の使い方の感覚が得られるところにある。更に幼児や外国人など、正しい箸の使い方に慣れていない人達のために、箸の使い方の矯正訓練用としても利用できる。また本考案の箸補助具は小さいため、補助具を使うときの心理的な抵抗感を軽減することができる。
【考案を実施するための最良の形態】
【０００６】
箸を通して把持する把持部空間３ｂと、切り込み３ｃを設けた構造の把持部３ａに、突起部３ｅと張り出し部３ｆで構成される挟持部３ｄを設けた箸補助具。
【実施例】
【０００７】
箸補助具の把持部３ａに設けた、突起部３ｅと張り出し部３ｆで構成される挟持部３ｄを、人さし指と中指で挟む、あるいは添えることで、箸が指から脱落することを防ぐことができる。また箸先端を箸補助具の把持部空間３ｂに貫入する側を目視あるいは触感で確認するために、前後確認用の突起部３ｇを設けた。また箸補助具が箸の任意の位置を把持するために、箸補助具の把持部３ａをスリット式の摺動可動構造にした。本実施例を図７で示す。
【０００８】
箸補助具の把持部３ａに設けた、突起部３ｅと張り出し部３ｆで構成される挟持部３ｄを、人さし指と中指で挟む、あるいは添えることで、箸が指から脱落することを防ぐことができる。また箸先端を箸補助具の把持部空間３ｂに貫入する側を目視あるいは触感で確認するために、前後確認用の突起部３ｇを設けた。また箸補助具が箸の任意の位置を把持するために、箸補助具の把持部３ａをスパイラル式の摺動可動構造にした。本実施例を図８で示す。
【０００９】
箸補助具の把持部３ａに設けた、突起部３ｅと張り出し部３ｆで構成される挟持部３ｄを、人さし指と中指で挟む、あるいは添えることで、箸が指から脱落することを防ぐことができる。また箸先端を箸補助具の把持部空間３ｂに貫入する側を目視あるいは触感で確認するために、前後確認用の突起部３ｇを設けた。また箸補助具が箸の任意の位置を把持するために、箸補助具の把持部３ａをスリット式とスパイラル式を組み合わせた摺動可動構造にした。本実施例を図９で示す。
【００１０】
箸補助具の把持部３ａに設けた、突起部３ｅと張り出し部３ｆで構成される挟持部３ｄを、人さし指と中指で挟む、あるいは添えることで、箸が指から脱落することを防ぐことができる。また箸先端を箸補助具の把持部空間３ｂに貫入する側を目視あるいは触感で確認するために、前後確認用の突起部３ｇを設けた。また箸補助具が箸の任意の位置を把持するために、箸補助具の把持部３ａをスリット式の摺動可動構造にした。また予め成型した箸溝に箸補助具を勘合し固定するために、把持部３ａ内側に箸勘合用突起部３ｈを設けた。本実施例を図１０で示す。
【００１１】
箸補助具の把持部３ａに設けた、突起部３ｅを人さし指と中指で挟み、張り出し部３ｆが指を押さえることで、箸が指から脱落することを防ぐことができる。また箸補助具が箸の任意の位置を把持するために、箸補助具の把持部３ａをスリット式の摺動可動構造にした。本実施例を図１１で示す。
【産業上の利用可能性】
【００１２】
本考案の箸補助具は、人さし指と中指で挟持部３ｄを挟む運動機能が必要となるため、挟む機能が著しく劣った人には、図９の突起部３ｅと張り出し部３ｆで構成される挟持部３ｄのような指断面形状に適合した曲面形状が必要で、この曲面形状に添えるだけで補助ができる補助具が必要となる。そのためには一人一人の指の大きさに適合した補助具設計のための寸法計測と、１人１個の補助具製造法が求められるが、それは人間工学技術や光造形システムによって実現できる。
【図面の簡単な説明】
【００１３】
【図１】正しい箸の使い方の側面説明図である。
【図２】正しい箸の使い方の正面説明図である。
【図３】正しい箸の使い方の正面模式図である。
【図４】図７の実施例を示した側面説明図である。
【図５】図７の実施例を示した正面説明図である。
【図６】図７の実施例を示した正面模式図である。
【図７】箸補助具例１の４面図である。
【図８】箸補助具例２の４面図である。
【図９】箸補助具例３の４面図である。
【図１０】箸補助具例４の４面図である。
【図１１】箸補助具例５の３面図である。
【符号の説明】
【００１４】
１ａ  箸
１ｂ  箸
２ａ  親指
２ｂ  人さし指
２ｃ  中指
２ｄ  薬指
３    箸補助具
３ａ  把持部
３ｂ  把持部空間
３ｃ  切れ込み（スリット、スパイラル、スリット・スパイラル）
３ｄ  挟持部
３ｅ  突起部
３ｆ  張り出し部
３ｇ  前後確認用突起部
３ｈ  箸勘合用突起部
【図１】
0003133200.tif 000003
【図２】
0003133200.tif 000004
【図３】
0003133200.tif 000005
【図４】
0003133200.tif 000006
【図５】
0003133200.tif 000007
【図６】
0003133200.tif 000008
【図７】
0003133200.tif 000009
【図８】
0003133200.tif 000010
【図９】
0003133200.tif 000011
【図１０】
0003133200.tif 000012
【図１１】
0003133200.tif 000013